(57)【特許請求の範囲】
【請求項１】
玄関子機と、前記玄関子機との間で無線通信を行う室内モニタと、を有するテレビドアホン装置であって、
前記室内モニタが同期信号を常時、定期的に送信し、かつ、定期的な受信動作を行い、前記玄関子機が必要に応じて主電源をオンにして要求を送信し、かつ、定期的に主電源をオンにして前記同期信号を受信し、主電源オフ時には、スリープ状態となる第１の通信方式と、前記室内モニタが必要なときにのみ主電源をオンにして要求を送信し、かつ、待機時は、定期的に主電源をオンにして受信し、主電源オフ時にはスリープ状態となり、前記玄関子機が必要に応じて主電源をオンにして要求を送信し、待機時は、定期的に主電源をオンにして受信し、主電源オフ時にはスリープ状態となる第２の通信方式と、を有し、
前記室内モニタは、
前記玄関子機を登録する際、前記第２の通信方式により無線通信を行うことを前記玄関子機に要求して前記第２の通信方式により無線通信を行い、
前記玄関子機を登録した状態で中継アンテナの増設を検知した場合には、前記第１の通信方式により無線通信を行うことを前記玄関子機に要求して前記第２の通信方式から前記第１の通信方式に切り替えて前記中継アンテナを経由して前記玄関子機と無線通信を行い、
前記玄関子機を登録した状態で前記中継アンテナの増設を検知しなかった場合には、前記第２の通信方式により無線通信を行うことを前記玄関子機に要求して前記第２の通信方式により前記玄関子機と無線通信を行い、
前記玄関子機は、
前記室内モニタから要求された通信方式により無線通信を行う、
テレビドアホン装置。
【請求項２】
前記室内モニタは、前記中継アンテナの増設を検知する前において、
充電装置に接続されたことを検知した場合、前記第１の通信方式により無線通信を行うことを前記玄関子機に要求して前記第１の通信方式により無線通信を行う、
請求項１に記載のテレビドアホン装置。
【請求項３】
前記室内モニタは、前記中継アンテナの増設を検知する前において、
充電装置から取り外されたことを検知した場合、前記第２の通信方式により無線通信を行うことを前記玄関子機に要求して前記第２の通信方式により無線通信を行う、
請求項２に記載のテレビドアホン装置。
【請求項４】
前記室内モニタは、前記中継アンテナの増設を検知する前において、
前記玄関子機から受信した信号の強度が所定の閾値未満となったことを検知した場合、前記第１の通信方式により無線通信を行うことを前記玄関子機に要求して前記第１の通信方式により無線通信を行う、
請求項１に記載のテレビドアホン装置。
【請求項５】
前記室内モニタは、前記中継アンテナの増設を検知する前において、
前記玄関子機から受信した信号の強度が所定の閾値以上となったことを検知した場合、前記第２の通信方式により無線通信を行うことを前記玄関子機に要求して前記第２の通信方式により無線通信を行う、
請求項４に記載のテレビドアホン装置。
【請求項６】
前記室内モニタは、
前記第２の通信方式において、前記玄関子機の受信間隔よりも長い間隔の同期信号を送信し、
前記玄関子機は、
定期的に主電源をオンして、前記玄関子機の受信間隔よりも長い間隔の前記同期信号を受信し、主電源オフ時にはスリープ状態となる、
請求項１に記載のテレビドアホン装置。
【請求項７】
前記室内モニタは、
前記第２の通信方式において、待機時には、同期信号及びその他の全ての信号を送信しないＮｏＥｍｉｓｓｉｏｎモード（ＮＥＭ）となる、
請求項１に記載のテレビドアホン装置。
【発明の詳細な説明】
【技術分野】
【０００１】
本発明は、テレビドアホン装置に関する。
【背景技術】
【０００２】
防犯に対する意識は年々向上しており、近年、戸建住宅だけでなくワンルームマンション等の一人暮らし世帯においても、低コスト、簡単設置で玄関子機等を実現したいという要求が増えてきている。
【０００３】
このような低コストで簡単設置の要求に応えるものとして、両者の間を無線通信させることにより配線工事を不要とするものも普及し始めている。例えば、特許文献１には、玄関子機と、玄関子機との間で無線通信を行うための無線親機とで構成されるテレビドアホン装置が開示されている。
【先行技術文献】
【特許文献】
【０００４】
【特許文献１】特開２００８−２５２２７１号公報
【発明の概要】
【発明が解決しようとする課題】
【０００５】
しかしながら、玄関子機または無線親機を電池駆動とした場合には、消費電力を抑えるため、低消費電力化を実現する新たな通信方式を搭載することが必要となる。ただし、この場合、従来機器との無線通信の互換性がなくなるという課題があり、特に、無線通信で重要な通信距離を長くすること、通信品質を向上させることのために、従来機器である中継アンテナを接続可能とすることが望まれる。
【０００６】
本発明の目的は、低消費電力の新たな無線通信方式を搭載し、かつ中継アンテナのような従来機器との互換性を維持するテレビドアホン装置を提供することである。
【課題を解決するための手段】
【０００７】
本発明の一態様に係るテレビドアホン装置は、玄関子機と、前記玄関子機との間で無線通信を行う室内モニタと、を有するテレビドアホン装置であって、前記室内モニタが同期信号を常時、定期的に送信し、かつ、定期的な受信動作を行い、前記玄関子機が必要に応じて主電源をオンにして要求を送信し、かつ、定期的に主電源をオンにして前記同期信号を受信し、主電源オフ時には、スリープ状態となる第１の通信方式と、前記室内モニタが必要なときにのみ主電源をオンにして要求を送信し、かつ、待機時は、定期的に主電源をオンにして受信し、主電源オフ時にはスリープ状態となり、前記玄関子機が必要に応じて主電源をオンにして要求を送信し、待機時は、定期的に主電源をオンにして受信し、主電源オフ時にはスリープ状態となる第２の通信方式と、を有し、前記室内モニタは、前記玄関子機を登録する際、前記第２の通信方式により無線通信を行うことを前記玄関子機に要求して前記第２の通信方式により無線通信を行い、前記玄関子機を登録した状態で中継アンテナの増設を検知した場合には、前記第１の通信方式により無線通信を行うことを前記玄関子機に要求して前記第２の通信方式から前記第１の通信方式に切り替えて前記中継アンテナを経由して前記玄関子機と無線通信を行い、前記玄関子機を登録した状態で前記中継アンテナの増設を検知しなかった場合には、前記第２の通信方式により無線通信を行うことを前記玄関子機に要求して前記第２の通信方式により前記玄関子機と無線通信を行い、前記玄関子機は、前記室内モニタから要求された通信方式により無線通信を行う構成を採る。
【発明の効果】
【０００８】
本発明によれば、低消費電力の新たな無線通信方式を搭載し、かつ中継アンテナのような従来機器との互換性を維持することができる。
【図面の簡単な説明】
【０００９】
【図１】本発明の実施の形態１に係るテレビドアホン装置を示す図
【図２】本発明の実施の形態１に係る玄関子機の構成例を示すブロック図
【図３】本発明の実施の形態１に係る室内モニタの構成例を示すブロック図
【図４】本発明の実施の形態１に係る親機の構成例を示すブロック図
【図５】本発明の実施の形態１に係るスマートフォンの構成例を示すブロック図
【図６】室内モニタが玄関子機を登録する際、第１の通信方式から第２の通信方式に切り替える手順を示すシーケンス図
【図７】玄関子機と室内モニタまたは親機における電流消費の変化の様子を示す図
【図８】室内モニタの設定画面の一例を示す図
【図９】実施の形態２に係る室内モニタと玄関子機との間に中継アンテナを増設する際、第２の通信方式から第１の通信方式に切り替える手順を示すシーケンス図
【図１０】玄関子機と室内モニタにおける電流消費の変化の様子を示す図
【図１１】実施の形態３に係る室内モニタを充電装置から取り外した際、第２の通信方式から第１の通信方式に切り替える手順を示すシーケンス図
【図１２】玄関子機と室内モニタにおける電流消費の変化の様子を示す図
【図１３】室内モニタを充電装置に接続した際、第１の通信方式から第２の通信方式に切り替える手順を示すシーケンス図
【図１４】実施の形態４に係る玄関子機と室内モニタとの通信環境が劣化した際、第２の通信方式から第１の通信方式に切り替える手順を示すシーケンス図
【図１５】玄関子機と室内モニタとの通信環境が回復した際、第１の通信方式から第２の通信方式に切り替える手順を示すシーケンス図
【発明を実施するための形態】
【００１０】
以下、本発明の実施の形態について、図面を参照して詳細に説明する。
【００１１】
（実施の形態１）
図１は、本発明の実施の形態１に係るテレビドアホン装置１０を示す図である。図１に示すように、テレビドアホン装置１０は、玄関子機１００、室内モニタ２００、電話機親機（以下、単に「親機」という）３００及びスマートフォン４００を備える。テレビドアホン装置１０は、玄関子機１００と室内モニタ２００とが無線接続する場合と、玄関子機１００と親機３００とが無線接続する場合とを切り替えることができる。親機３００は、スマートフォン４００と無線接続することができる。
【００１２】
＜玄関子機の構成＞
図２は、本発明の実施の形態１に係る玄関子機１００の構成例を示すブロック図である。
【００１３】
玄関子機１００は、無線通信部１０１、制御部１０２、操作部１０３、電源部１０４、撮像部１０５、音声入出力部１０６、記憶部１０７、割り込み検知部１０８を備える。
【００１４】
無線通信部１０１は、室内モニタ２００または親機３００との間において、無線回線を介して通信する。無線通信部１０１による通信方式は、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、無線ＬＡＮ（Ｌｏｃａｌ  Ａｒｅａ  Ｎｅｔｗｏｒｋ）、ＺｉｇＢｅｅ（登録商標）を含む。
【００１５】
無線通信部１０１は、撮像画像を室内モニタ２００または親機３００へ送信する。これにより、屋内の居住者が、玄関扉付近に存在する来訪者を視認できる。また、無線通信部１０１は、玄関子機１００の音声入出力部１０６により集音された来訪者の音声を含む音声情報を室内モニタ２００または親機３００へ送信する。また、無線通信部１０１は、室内モニタ２００または親機３００から、居住者の音声を含む音声情報を受信する。これにより、屋外の来訪者と屋内の居住者とが通話できる。
【００１６】
制御部１０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＰＵ（Ｃｅｎｔｒａｌ  Ｐｒｏｃｅｓｓｉｎｇ  Ｕｎｉｔ）等を有する。例えば、ＣＰＵがＲＯＭに保持されたプログラムを実行することにより、制御部１０２の各種機能を実現する。
【００１７】
制御部１０２は、玄関子機１００全体を統括し、各種制御、演算、判定を実行する。制御部１０２は、玄関子機１００の各部を制御するための演算処理を行う。
【００１８】
操作部１０３は、例えば、呼出ボタンであり、来訪者によって押下されると、無線通信部１０１を介して、室内モニタ２００または親機３００に来訪者の存在を通知する。
【００１９】
電源部１０４は、玄関子機１００が動作するための電力を各部へ供給する。電源部１０４は、設置性を考慮して１次電池または２次電池等の電池で構成されている。ただし、電源部１０４は、これに限らず、ＡＣ電源またはＡＣアダプタから電源が入力されてもよい。
【００２０】
撮像部１０５は、屋外における所定の空間を撮像する。撮像部１０５により撮像された画像（撮像画像）は、例えば、動画、静止画を含み、撮像画像には、来訪者、通行者、不審者、人以外の物体等が含まれる。
【００２１】
音声入出力部１０６は、マイク及びスピーカ等であり、来訪者の音声を含む音声情報を集音し、無線通信部１０１を介して、室内モニタ２００または親機３００に送信する。また、音声入出力部１０６は、室内モニタ２００または親機３００から送信された居住者の音声を含む音声情報を出力する。
【００２２】
記憶部１０７は、フラッシュメモリ等で構成され、例えば、玄関子機１００の識別番号等の装置情報、設定情報、室内モニタ２００または親機３００の状態情報、室内モニタ２００または親機３００への送信前の撮像画像等を記憶する。
【００２３】
割り込み検知部１０８は、玄関子機１００が備えるボタン等のキー割り込み、タイマによる割り込み、各種イベントによる割り込みを検知する。割り込みの検知は、ハードウェアによるものとソフトウェアによるものを含む。
【００２４】
割り込み検知部１０８は、超低消費電力を実現するために電源部１０４による各部への電力供給を制御する機能も備える。例えば、回路上で割り込み検知部１０８を電源部１０４と制御部１０２等各部との間に位置させて、割り込み検知部１０８だけを電源部１０４の微弱な電力により常時稼働させておく。そして、割り込み検知部１０８は、所定の割り込みの検知に基づいて、各部へ電力供給するためスイッチング素子をＯＮ／ＯＦＦする。
【００２５】
＜室内モニタの構成＞
図３は、本発明の実施の形態１に係る室内モニタ２００の構成例を示すブロック図である。
【００２６】
室内モニタ２００は、無線通信部２０１、制御部２０２、操作部２０３、電源部２０４、ＲＳＳＩレベル検知部２０５、表示部２０６、音声入出力部２０７、記憶部２０８、充電検知部２０９、割り込み検知部２１０を備える。
【００２７】
無線通信部２０１は、玄関子機１００との間において、無線回線を介して、通信する。無線通信部２０１による通信方式は、例えば、ＤＥＣＴ、無線ＬＡＮ、ＺｉｇＢｅｅ（登録商標）を含む。
【００２８】
無線通信部２０１は、玄関子機１００からの撮像画像を受信する。これにより、屋内の居住者が、玄関扉付近に存在する来訪者を視認できる。また、無線通信部２０１は、玄関子機１００から、来訪者の音声を含む音声情報を受信する。また、無線通信部２０１は、室内モニタ２００の音声入出力部２０７により集音した居住者の音声を含む音声情報を玄関子機１００へ送信する。これにより、屋外の来訪者と屋内の居住者とが通話できる。
【００２９】
制御部２０２は、ＲＯＭ、ＲＡＭ、ＣＰＵ等を有する。例えば、ＣＰＵがＲＯＭに保持されたプログラムを実行することにより、制御部２０２の各種機能を実現する。制御部２０２は、室内モニタ２００全体を統括し、各種制御、演算、判定を実行する。制御部２０２は、室内モニタ２００の各部を制御するための演算処理を行う。
【００３０】
操作部２０３は、各種ボタンであり、例えば、玄関子機１００から来訪者の存在が通知された場合に応答するための応答ボタン、玄関子機１００から撮像画像を取得するためのモニタボタン、玄関子機１００を制御するためのボタンなどである。
【００３１】
電源部２０４は、室内モニタ２００が動作するための電力を各部へ供給する。電源部２０４は、ＡＣ電源またはＡＣアダプタから電源が入力される場合と、設置性を考慮して１次電池や２次電池等の電池で構成されている場合とがある。
【００３２】
ＲＳＳＩレベル検知部２０５は、無線通信部２０１が玄関子機１００から受信した信号の強度、すなわち、ＲＳＳＩ（Ｒｅｃｅｉｖｅｄ  Ｓｉｇｎａｌ  Ｓｔｒｅｎｇｔｈ  Ｉｎｄｉｃａｔｏｒ）レベルを検知する。
【００３３】
表示部２０６は、例えば、ＬＣＤ（Ｌｉｑｕｉｄ  Ｃｒｙｓｔａｌ  Ｄｉｓｐｌａｙ）を有し、各種の文字または画像を表示する。画像は、例えば、動画、静止画を含み、玄関子機１００からの撮像画像、室内モニタ２００を操作するための画像を含む。
【００３４】
音声入出力部２０７は、マイク及びスピーカ等であり、居住者の音声を含む音声情報を集音し、無線通信部２０１を介して、玄関子機１００に送信する。また、音声入出力部２０７は、玄関子機１００から送信された訪問者の音声を含む音声情報を出力する。
【００３５】
記憶部２０８は、フラッシュメモリ等で構成され、各種画像や音声、その他の管理情報を含む。画像は、例えば、動画、静止画を含み、玄関子機１００からの撮像画像、室内モニタ２００を操作するための画像を含む。音声は、例えば、室内モニタ２００から発する定型メッセージの音声を含む。
【００３６】
その他の管理情報は、例えば、室内モニタ２００の各種の設定情報を勝手に変更できないようにするためのパスワード情報を含む。
【００３７】
充電検知部２０９は、室内モニタ２００が充電台等の充電装置に接続され、電源部２０４が外部電源に接続されたかどうかを検知する。
【００３８】
割り込み検知部２１０は、室内モニタ２００が備えるボタン等のキー割り込み、タイマによる割り込み、各種イベントによる割り込みを検知する。割り込みの検知は、ハードウェアによるものとソフトウェアによるものを含む。
【００３９】
割り込み検知部２１０は、超低消費電力を実現するために電源部２０４による各部への電力供給を制御する機能も備える。例えば、回路上で割り込み検知部２１０を電源部２０４と制御部２０２等各部との間に位置させて、割り込み検知部２１０だけを電源部２０４の微弱な電力により常時稼働させておく。そして、割り込み検知部２１０は、所定の割り込みの検知に基づいて、各部へ電力供給するためスイッチング素子をＯＮ／ＯＦＦする。
【００４０】
＜親機の構成＞
図４は、本発明の実施の形態１に係る親機３００の構成例を示すブロック図である。
【００４１】
固定電話回線Ｉ／Ｆ部３０１は、固定電話網８５に接続する。これにより、親機３００は、固定電話網８５に接続された外部の固定電話機と通話可能となる。
【００４２】
音声入出力制御部３０４は、音声バス３１７に接続し、マイク３２８及びスピーカ３２９を制御する。マイク３２８は、居住者の音声を含む音声情報を集音し、ＤＥＣＴプロトコル制御部３０８及びＤＥＣＴ無線Ｉ／Ｆ部３０７を介して、玄関子機１００に送信する。スピーカ３２９は、玄関子機１００から送信された訪問者の音声を含む音声情報を出力する。
【００４３】
操作部３０５は、各種ボタンまたはタッチパネルであり、例えば、ダイアルボタン、機能ボタン、短縮ボタン、保留ボタンなどである。
【００４４】
表示部３０６は、例えば、ＬＣＤ（Ｌｉｑｕｉｄ  Ｃｒｙｓｔａｌ  Ｄｉｓｐｌａｙ）を有し、各種の文字または画像を表示する。画像は、例えば、動画、静止画を含み、玄関子機１００からの撮像画像を含む。
【００４５】
ＤＥＣＴプロトコル制御部３０８は、ＤＥＣＴの無線方式を用いて、玄関子機１００及び図示せぬ電話機子機との無線接続を、ＤＥＣＴ無線Ｉ／Ｆ部３０７を介して行う。
【００４６】
制御部３０９は、親機３００全体を統括し、各種制御、演算、判定を実行する。また、制御部３０９は、呼制御部３１０及び音声ストリーム処理部３１２を内蔵し、呼制御部３１０は通話の呼制御を行い、音声ストリーム処理部３１２は音声データの処理等を行う。
【００４７】
画像メモリ制御部３１５は、画像メモリ３１６を制御し、玄関子機１００で撮像された画像データ等を画像メモリ３１６に記憶する。
【００４８】
無線ＬＡＮ制御部３２１は、無線ＬＡＮ通信Ｉ／Ｆ部３２２と無線ＬＡＮで接続された無線ルータを介して、スマートフォン４００等と画像データ及び音声データを送受信する。
【００４９】
子機／携帯端末充電部３２６は、差込口または接続プラグを有し、差込口または接続プラグに接続された電話機子機またはスマートフォン４００を充電する。
【００５０】
ＵＳＢ通信Ｉ／Ｆ部３２７は、ＵＳＢ（Ｕｎｉｖｅｒｓａｌ  Ｓｅｒｉａｌ  Ｂｕｓ）規格のインタフェースを有する機器またはメモリ等と接続し、データを送受信する。
【００５１】
なお、親機３００は、予めスマートフォン４００および無線ルータを登録しておく。
【００５２】
＜スマートフォンの構成＞
図５は、本発明の実施の形態１に係るスマートフォン４００の構成例を示すブロック図である。
【００５３】
３Ｇプロトコル制御部４０２は、３Ｇ（第３世代）の無線通信方式を用いて、携帯電話網に接続された携帯電話機または他のスマートフォンとの無線接続を、３Ｇ通信Ｉ／Ｆ部４０１を介して行う。
【００５４】
タッチパネル４０３は、表示部及び操作部が一体化された表示入力部であり、画面に画像やアイコン等の情報を表示するとともに、使用者による画面へのタップ操作（又はタッチ操作）を受け付ける。
【００５５】
記憶部４０４は、フラッシュメモリ等で構成され、各種画像や音声、その他の管理情報を含む。画像は、例えば、動画、静止画を含み、玄関子機１００からの撮像画像、スマートフォン４００を操作するための画像を含む。音声は、例えば、スマートフォン４００から発する定型メッセージの音声を含む。
【００５６】
音声入出力制御部４０５は、音声バス４１５に接続し、マイク４１２及びスピーカ４１３を制御する。マイク４１２は、音声を含む音声情報を集音し、無線ＬＡＮ制御部４０７及び無線ＬＡＮ通信Ｉ／Ｆ部４０８を介して、玄関子機１００に送信する。スピーカ４１３は、玄関子機１００から送信された訪問者の音声を含む音声情報を出力する。
【００５７】
制御部４０６は、ＲＯＭ、ＲＡＭ、ＣＰＵ等を有する。例えば、ＣＰＵがＲＯＭに保持されたプログラムを実行することにより、制御部４０６の各種機能を実現する。制御部４０６は、スマートフォン４００全体を統括し、各種制御、演算、判定を実行する。また、制御部４０６は、玄関子機１００の機能を設定可能な監視機能制御部４１４を内蔵する。
【００５８】
無線ＬＡＮ制御部４０７は、無線ＬＡＮ通信Ｉ／Ｆ部４０８と無線ＬＡＮで接続された無線ルータを介して、親機３００等と画像データ及び音声データを送受信する。
【００５９】
ＵＳＢ通信Ｉ／Ｆ部４１１は、ＵＳＢ規格のインタフェースを有する機器またはメモリ等と接続し、データを送受信する。
【００６０】
２次電池４５０は、充電可能な電池であり、スマートフォン４００の各部に電力を供給する。
【００６１】
＜通信方式＞
次に、上述したテレビドアホン装置１０における通信方式について説明する。
【００６２】
第１の通信方式は、同期信号を常時、定期的に送信し、かつ、定期的な受信動作を行う室内モニタ２００または親機３００と、必要に応じて主電源をオンにして要求を送信し、かつ、定期的に主電源をオンにして同期信号を受信し、主電源オフ時には、スリープ状態となる玄関子機１００とが無線通信を行う方式である。玄関子機１００のスリープ状態とは、主電源オフ時に、主電源をオンにするための最小限の回路ブロックのみ超低消費電流でバイアスされた状態をいう。玄関子機１００の必要に応じてとは、玄関子機１００の呼出ボタンが押下されることなどが挙げられる。また、玄関子機１００は、必要なときにのみ主電源をオンにして要求を送信し、主電源オフ時にはスリープ状態となってもよい。
【００６３】
第２の通信方式は、必要なときにのみ主電源をオンにして要求を送信し、かつ、待機時は、定期的に主電源をオンにして受信し、主電源オフ時にはスリープ状態となる室内モニタ２００と、必要に応じて主電源をオンにして要求を送信し、待機時は、定期的に主電源をオンにして受信し、主電源オフ時にはスリープ状態となる玄関子機１００とが無線通信を行う方式である。また、玄関子機１００は、必要なときにのみ主電源をオンにして要求を送信し、主電源オフ時にはスリープ状態となってもよい。また、室内モニタ２００は、玄関子機１００の受信間隔よりも長い間隔の同期信号を送信し、玄関子機１００は、定期的に主電源をオンして長い間隔の同期信号を受信し、主電源オフ時にはスリープ状態となってもよい。待機時には、同期信号及びその他の全ての信号を送信しないＮｏ  Ｅｍｉｓｓｉｏｎモード（ＮＥＭ）あるいは、必要なときにのみ主電源をオンにして玄関子機１００の受信間隔よりも長い間隔の同期信号を送信する通信方式を適用するため、第２の通信方式は、第１の通信方式に比べて、大きな消費電力を使用する送信動作が少なくなるため、消費電力を抑制することができる。
【００６４】
＜通信方式の切り替え＞
図６は、室内モニタ２００が玄関子機１００を登録する際、第１の通信方式から第２の通信方式に切り替える手順を示すシーケンス図である。ここでは、まず、親機３００が玄関子機１００を登録した状態（登録状態）で、第１の通信方式を用いていることとする。
【００６５】
ステップＳ０１において、親機３００は、玄関子機１００の登録を解除し、ステップＳ０２において、室内モニタ２００は、玄関子機１００を登録する操作（登録操作）を行って、登録状態とする。このとき、玄関子機１００及び室内モニタ２００は、第１の通信方式を用いることとする。
【００６６】
ステップＳ０３において、室内モニタ２００は、第２の通信方式に切り替える通信方式切替要求を玄関子機１００に送信し、ステップＳ０４において、玄関子機１００は、第２の通信方式への切替確認を室内モニタ２００に送信し、第２の通信方式に切り替える。
【００６７】
これにより、室内モニタ２００は、スリープ状態に入れるシステムの場合、定期的に主電源をオンして受信し、スリープ状態に入れないシステムの場合、主電源は常時オンのため、定期的に受信する。また、玄関子機１００は、ＮＥＭ用に定期的に主電源をオンし、主電源オフ時は、スリープ状態に入る。
【００６８】
図７は、玄関子機１００と室内モニタ２００または親機３００における電流消費の変化の様子を示す図である。この図では、親機３００と玄関子機１００とに第１の通信方式が設定されている場合に、親機３００が玄関子機１００の登録を解除し、室内モニタ２００が玄関子機１００の登録操作をする場合を示す。
【００６９】
時刻ｔ１において、室内モニタ２００が玄関子機１００を登録操作し、時刻ｔ２において、室内モニタ２００が第２の通信方式への切替要求を送信し、玄関子機１００が主電源がオンのタイミングで切替要求を受信する。
【００７０】
時刻ｔ３において、玄関子機１００は、通信方式切替確認を室内モニタ２００に送信し、第２の通信方式に切り替える。なお、室内モニタ２００は、主電源オフのスリープ状態に入れるものとする。これにより、主電源オフ時には、バイアス電流を大幅に低減することができる。
【００７１】
図８は、室内モニタ２００の設定画面の一例を示す図である。居住者は、メニューボタン及び選択ボタンを押下して、図８（ａ）に示すように表示部２０６に表示された「登録／減設」を選択し、決定ボタンを押下して決定する。
【００７２】
居住者は、選択ボタンを押下して、図８（ｂ）に示すように表示部２０６に表示された「登録」を選択し、決定ボタンを押下して決定する。
【００７３】
居住者は、選択ボタンを押下して、図８（ｃ）に示すように表示部２０６に表示された「玄関子機」を選択し、決定ボタンを押下して決定する。なお、図８に示す設定は、スマートフォン４００においても、同様に行うことができる。
【００７４】
このように、実施の形態１のテレビドアホン装置１０では、室内モニタ２００が玄関子機１００を登録した場合、同期信号を常時、定期的に送信し、かつ、定期的な受信動作を行う室内モニタ２００または親機３００と、必要に応じて主電源をオンにして要求を送信し、かつ、定期的に主電源をオンにして同期信号を受信し、主電源オフ時には、スリープ状態となる玄関子機１００とが同期する第１の通信方式から、例えば必要なときにのみ主電源をオンにして要求を送信し、かつ、待機時は、定期的に主電源をオンにして受信し、主電源オフ時にはスリープ状態となる室内モニタ２００と、必要に応じて主電源をオンにして要求を送信し、待機時は、定期的に主電源をオンにして受信し、主電源オフ時にはスリープ状態となる玄関子機１００とが無線通信する第２の通信方式に切り替える。これにより、室内モニタ２００の消費電力を抑えることができる。
【００７５】
なお、本実施の形態では、室内モニタ２００が玄関子機１００を登録した場合、第１の通信方式から第２の通信方式に切り替えるものとして説明したが、本発明はこれに限らない。例えば、電話機親機３００が玄関子機１００を登録した場合、第２の通信方式から第１の通信方式に切り替えてもよい。
【００７６】
（実施の形態２）
本発明の実施の形態２では、室内モニタ２００が玄関子機１００を登録した状態で、両者の間に中継アンテナを増設する場合について説明する。
【００７７】
実施の形態２に係る玄関子機１００及び室内モニタ２００の構成は、実施の形態１の図２及び図３と同様であるので、必要に応じて、これらの図を援用し、重複する説明は省略する。
【００７８】
図９は、室内モニタ２００と玄関子機１００との間に中継アンテナを増設する際、第２の通信方式から第１の通信方式に切り替える手順を示すシーケンス図である。ここでは、まず、室内モニタ２００は、第２通信方式のＮＥＭを用いており、定期受信しているものとする。
【００７９】
ステップＳ１１において、室内モニタ２００は、中継アンテナの増設開始を検知し、ステップＳ１２において、室内モニタ２００は、中継アンテナの増設完了を検知する。
【００８０】
ステップＳ１３において、室内モニタ２００は、玄関子機１００が起動するタイミングで第１の通信方式に切り替える通信方式切替要求を玄関子機１００に送信し、ステップＳ１４において、玄関子機１００は、第１の通信方式への切替確認を室内モニタ２００に送信し、第１の通信方式に切り替える。
【００８１】
図１０は、玄関子機１００と室内モニタ２００における電流消費の変化の様子を示す図である。時刻ｔ１において、中継アンテナの増設が完了すると、室内モニタ２００は、時刻ｔ２〜ｔ３（玄関子機１００の受信間隔１．２８秒より長い、例えば１．３秒程度。１．３秒程度あれば確実に玄関子機１００の受信期間に補足可能とすることができる）において、第１の通信方式への通信方式切替要求を全スロット送信する。時刻ｔ３において、室内モニタ２００から送信された通信方式切替要求が玄関子機１００にて受信され、時刻ｔ４において、玄関子機１００は、通信方式切替確認を室内モニタ２００に送信し、室内モニタ２００は、第１の通信方式に切り替える。このように、中継アンテナを増設した際、第１の通信方式に切り替えるのは、中継アンテナが第１の通信方式に適応しており、第２の通信方式には適応していないためである。
【００８２】
このように、実施の形態２のテレビドアホン装置では、玄関子機１００と室内モニタ２００との間に中継アンテナを増設した場合、第２の通信方式から第１の通信方式に切り替えることにより、第１の通信方式に適した中継アンテナを用いて、玄関子機１００と室内モニタ２００との通信距離を長くしたり、通信品質を向上させたりすることができる。
【００８３】
（実施の形態３）
本発明の実施の形態３では、室内モニタ２００を充電装置から取り外したり、充電装置に接続したりする場合について説明する。
【００８４】
実施の形態３に係る玄関子機１００及び室内モニタ２００の構成は、実施の形態１の図２及び図３と同様であるので、必要に応じて、これらの図を援用し、重複する説明は省略する。
【００８５】
図１１は、室内モニタ２００を充電装置から取り外した際、第１の通信方式から第２の通信方式に切り替える手順を示すシーケンス図である。ここでは、まず、室内モニタ２００が充電装置に接続されているものとする。
【００８６】
ステップＳ２１において、室内モニタ２００は、充電装置から取り外されたことを検知し、ステップＳ２２において、室内モニタ２００は、所定時間（例えば、１分）待機する。これは、室内モニタ２００を充電装置から取り外した後に、すぐに充電装置に戻す場合もあるため、このようなケースを除外するためである。
【００８７】
ステップＳ２３において、室内モニタ２００は、玄関子機１００が起動するタイミングで第２の通信方式に切り替える通信方式切替要求を玄関子機１００に送信し、ステップＳ２４において、玄関子機１００は、第２の通信方式への切替確認を室内モニタ２００に送信し、第２の通信方式に切り替える。
【００８８】
これにより、室内モニタ２００は、待機時に定期的に受信を行い、玄関子機１００は、ＮＥＭ用に定期的に主電源をオンし、主電源オフ時は、スリープ状態に入る。
【００８９】
図１２は、玄関子機１００と室内モニタ２００における電流消費の変化の様子を示す図である。時刻ｔ１において、室内モニタ２００が充電装置から取り外されると、室内モニタ２００は、１分間の待機後、時刻ｔ２において、室内モニタ２００が第２の通信方式への切替要求を送信し、玄関子機１００がその切替要求を受信する。
【００９０】
時刻ｔ３において、玄関子機１００は、通信方式切替確認を室内モニタ２００に送信し、第２の通信方式に切り替える。
【００９１】
このように、室内モニタ２００が充電装置から取り外された際、第１の通信方式から第２の通信方式に切り替えることにより、充電装置から取り外された室内モニタ２００のバッテリの電力消費を抑え、室内モニタ２００の待受時間を長くすることができる。
【００９２】
図１３は、室内モニタ２００を充電装置に接続した際、第２の通信方式から第１の通信方式に切り替える手順を示すシーケンス図である。ここでは、まず、室内モニタ２００が充電装置から取り外されているものとする。
【００９３】
ステップＳ３１において、室内モニタ２００は、充電装置に接続されたことを検知し、ステップＳ３２において、室内モニタ２００は、所定時間（例えば、１分）待機する。これは、室内モニタ２００を充電装置に接続した後に、すぐに充電装置から取り外す場合もあるため、このようなケースを除外するためである。
【００９４】
ステップＳ３３において、室内モニタ２００は、玄関子機１００が起動するタイミングで第１の通信方式に切り替える通信方式切替要求を玄関子機１００に送信し、ステップＳ３４において、玄関子機１００は、第１の通信方式への切替確認を室内モニタ２００に送信し、第１の通信方式に切り替える。
【００９５】
これにより、室内モニタ２００は、１０ｍｓ毎に同期信号を常時、定期的に送信し、かつ、定期的な受信動作し、玄関子機１００は、必要に応じて主電源をオンにして要求を送信し、かつ、定期的に主電源をオンにして同期信号を受信し、主電源オフ時には、スリープ状態に入る。
【００９６】
このように、室内モニタ２００が充電装置に接続された際、第２の通信方式から第１の通信方式に切り替えることにより、室内モニタ２００が常時短い間隔で同期信号を送信する安定した同期通信となり、通信品質を良好に保つことができる。
【００９７】
このように、実施の形態３のテレビドアホン装置では、室内モニタ２００を充電装置から取り外した際には、第１の通信方式から第２の通信方式に切り替えることにより、電力消費を抑えて、室内モニタ２００の待受時間を長くすることができる。一方、室内モニタ２００を充電装置に接続した際には、第２の通信方式から第１の通信方式に切り替え、通信品質を良好に保つことができる。
【００９８】
（実施の形態４）
本発明の実施の形態４では、玄関子機１００と室内モニタ２００との通信環境が劣化した場合、また回復した場合について説明する。
【００９９】
実施の形態４に係る玄関子機１００及び室内モニタ２００の構成は、実施の形態１の図２及び図３と同様であるので、必要に応じて、これらの図を援用し、重複する説明は省略する。
【０１００】
図１４は、玄関子機１００と室内モニタ２００との通信環境が劣化した際、第２の通信方式から第１の通信方式に切り替える手順を示すシーケンス図である。
【０１０１】
ステップＳ４１において、室内モニタ２００は、ＲＳＳＩ（受信信号強度）が低下して、所定の閾値未満となったことを検知し、ステップＳ４２において、室内モニタ２００は、所定時間（例えば、１分）待機する。これは、受信信号強度が低下した後に、すぐに回復する場合もあるため、このようなケースを除外するためである。
【０１０２】
ステップＳ４３において、室内モニタ２００は、玄関子機１００が起動するタイミングで第１の通信方式に切り替える通信方式切替要求を玄関子機１００に送信し、ステップＳ４４において、玄関子機１００は、第１の通信方式への切替確認を室内モニタ２００に送信し、第１の通信方式に切り替える。
【０１０３】
これにより、室内モニタ２００は、１０ｍｓ毎に同期信号を常時、定期的に送信し、かつ、定期的な受信動作し、玄関子機１００は、必要に応じて主電源をオンにして要求を送信し、かつ、定期的に主電源をオンにして同期信号を受信し、主電源オフ時には、スリープ状態に入る。
【０１０４】
図１５は、玄関子機１００と室内モニタ２００との通信環境が回復した際、第１の通信方式から第２の通信方式に切り替える手順を示すシーケンス図である。
【０１０５】
ステップＳ５１において、室内モニタ２００は、受信信号強度が回復して、所定の閾値以上となったことを検知し、ステップＳ５２において、室内モニタ２００は、所定時間（例えば、１分）待機する。
【０１０６】
ステップＳ５３において、室内モニタ２００は、玄関子機１００が起動するタイミングで第２の通信方式に切り替える通信方式への切替要求を玄関子機１００に送信し、ステップＳ５４において、玄関子機１００は、第２の通信方式への切替確認を室内モニタ２００に送信し、第２の通信方式に切り替える。
【０１０７】
これにより、室内モニタ２００は、必要なときにのみ主電源をオンにして要求を送信し、かつ、待機時は、ＮＥＭ用に定期的に主電源をオンにして受信し、主電源オフ時にはスリープ状態となり、玄関子機１００は、ＮＥＭ用に必要に応じて主電源をオンにして要求を送信し、待機時は、定期的に主電源をオンにして受信し、主電源オフ時にはスリープ状態となる、主電源オフ時は、スリープ状態に入る。
【０１０８】
このように、実施の形態４のテレビドアホン装置では、室内モニタ２００の受信信号強度が所定の閾値未満まで低下した際には、第２の通信方式から第１の通信方式に切り替えることにより、受信信号強度を回復し、通信品質を良好に保つことができる。一方、室内モニタ２００の受信信号強度が所定の閾値以上まで回復した際には、第１の通信方式から第２の通信方式に切り替え、電力消費を抑えて、室内モニタ２００の待受時間を長くすることができる。
【０１０９】
なお、本実施の形態では、受信信号強度が低下した場合あるいは回復した場合に通信方式を切り替えるように説明したが、使用可能な通信スロット数が規定数未満あるいは規定数以上となった場合に通信方式を切り替えるようにしてもよい。ここで、使用可能な通信スロット数とは、例えば、通信スロットのうち干渉レベルの受信強度（すなわち、通信以外の受信強度）が、ある閾値以下のスロットの数である。使用可能な通信スロット数が規定数未満あるいは規定数以上となった場合に通信方式を切り替える具体例としては、次のような例が挙げられる。使用可能な通信スロット数が予め決められた設定値（例えば、２）未満の場合に干渉が多いと判断して第１の通信方式に切り替え、使用可能な通信スロット数がその予め決められた設定値以上の場合に干渉が少ないと判断して第２の通信方式に切り替えるようにする。これにより、無線干渉環境に対応した低消費電力システムを実現することができる。
【産業上の利用可能性】
【０１１０】
本発明にかかるテレビドアホン装置は、新たな無線通信方式を搭載した場合に、従来無線通信機器との互換性を維持するのに有用である。
【符号の説明】
【０１１１】
１０  テレビドアホン装置
１００  玄関子機
１０１、２０１  無線通信部
１０２、２０２、３０９、４０６  制御部
１０３、２０３、３０５  操作部
１０４、２０４  電源部
１０５  撮像部
１０６、２０７  音声入出力部
１０７、２０８、３０３、４０４  記憶部
１０８、２１０  割り込み検知部
２００  室内モニタ
２０５  ＲＳＳＩレベル検知部
２０６、３０６  表示部
２０９  充電検知部
３０１  固定電話回線Ｉ／Ｆ部
３０４、４０５  音声入出力制御部
３０７  ＤＥＣＴ無線Ｉ／Ｆ部
３０８  ＤＥＣＴプロトコル制御部
３１０  呼制御部
３１２  音声ストリーム処理部
３１５  画像メモリ制御部
３１６  画像メモリ
３１７、４１５  音声バス
３２１、４０７  無線ＬＡＮ制御部
３２２、４０８  無線ＬＡＮ通信Ｉ／Ｆ部
３２６  子機／携帯端末充電部
３２７、４１１  ＵＳＢ通信Ｉ／Ｆ部
３２８、４１２  マイク
３２９、４１３  スピーカ
４０１  ３Ｇ通信Ｉ／Ｆ部
４０２  ３Ｇプロトコル制御部
４０３  タッチパネル
４１４  監視機能制御部
４５０  ２次電池
【要約】
【課題】新たな低消費電力の無線通信方式を搭載し、かつ中継アンテナのような従来機器との互換性を維持するテレビドアホン装置を提供する。
【解決手段】このテレビドアホン装置は、室内モニタまたは電話機親機と、玄関子機とが所定の条件で無線通信を行う第１の通信方式と、第１の通信方式より消費電力の低い第２の通信方式とを切り替えるテレビドアホン装置であって、室内モニタは、玄関子機との間に中継アンテナの増設されたことを検知した場合、第２の通信方式から第１の通信方式への切り替えを玄関子機に要求する無線通信手段を有し、玄関子機は、室内モニタまたは電話機親機から要求された通信方式に切り替える制御手段を有する構成を採る。
【選択図】図９【図１】
0005910843.tif 000002
【図２】
0005910843.tif 000003
【図３】
0005910843.tif 000004
【図４】
0005910843.tif 000005
【図５】
0005910843.tif 000006
【図６】
0005910843.tif 000007
【図７】
0005910843.tif 000008
【図８】
0005910843.tif 000009
【図９】
0005910843.tif 000010
【図１０】
0005910843.tif 000011
【図１１】
0005910843.tif 000012
【図１２】
0005910843.tif 000013
【図１３】
0005910843.tif 000014
【図１４】
0005910843.tif 000015
【図１５】
0005910843.tif 000016